(57)【要約】  本明細書に開示される例示の実施形態は、商品を受け入れるための空洞の前方に配置された前部ガラスシートを有するディスプレイケースと共に使用するための販売時広告システムを提供し、このシステムは、前部ガラスシートの背後に配置された透明ＬＣＤと、ＬＣＤの対向する縁部の１つの組に隣接して配置される複数のＬＥＤであってＬＥＤから放出される光が空洞に向かって後方に誘導されるように配置された複数のＬＥＤと、を含む。別の実施形態は、対向する各垂直縁部を有する透明ＬＣＤ用の照明システムを提供し、このシステムは、中心チャネルを規定し、透明ＬＣＤの各垂直縁部に隣接して配置された側壁を有する中方立光組立体と、側壁の長さ方向に沿いながら中心チャネルに対向する側壁の側部上に配置され、且つ側壁と熱伝導するように配置される複数のＬＥＤと、中心チャネルを通るように冷却空気を引き込むように配置されるファンと、を含む。
2015505374.tif 000002
【特許請求の範囲】
【請求項１】
商品を受け入れるための空洞の前方に配置された前部ガラスシートを有するディスプレイケースと共に使用するための販売時の広告システムであって、
前記前部ガラスシートの背後に配置され、且つ一組の対向する縁部を有する透明ＬＣＤと、
前記透明ＬＣＤの前記一組の対向する縁部に隣接して配置される複数のＬＥＤであって、前記複数のＬＥＤから放出される光が前記空洞に向かって後方に誘導されるように配置された前記複数のＬＥＤと、
を備える広告システム。
【請求項２】
前記複数のＬＥＤは、放出される光が前記空洞内に収容されている商品で反射するように配置される、請求項１に記載の広告システム。
【請求項３】
前記前部ガラスシート及び前記透明ＬＣＤを囲むドア組立体及びフレームと、
前記ドア組立体の開放又は閉鎖を判断するように配置されたスイッチと、
前記ドア組立体が開放されたとき前記複数のＬＥＤを消灯し、前記ドア組立体が閉鎖されたとき前記複数のＬＥＤを点灯するように適合された電気回路と、
をさらに備える請求項１に記載の広告システム。
【請求項４】
前記前部ガラスシートの一部を囲むマスキングを
さらに備え、
前記複数のＬＥＤが、前記マスキングの背後に配置される、請求項１から３のいずれか一項に記載の広告システム。
【請求項５】
前記透明ＬＣＤの対向する各側部に配置された中方立であって、各中方立が側壁及び中心チャネルを有し、且つ前記複数のＬＥＤが前記側壁と熱伝導するところの前記中方立と、
各中方立に配置され、前記中心チャネルを通るように冷却空気を引き込むファンと、
をさらに備える請求項１から３のいずれか一項に記載の広告システム。
【請求項６】
対向する各垂直縁部を有する透明ＬＣＤのための照明システムであって、
中心チャネルを規定する側壁を有する中方立光組立体であって、前記透明ＬＣＤの各垂直縁部に隣接して配置される前記中方立光組立体と、
前記側壁の長さ方向に沿いながら、前記中心チャネルに対向する前記側壁の側部上に配置された複数のＬＥＤであって、前記側壁と熱伝導する前記複数のＬＥＤと、
前記中心チャネルを通るように冷却空気を引き込むように配置されたファンと、
を備える照明システム。
【請求項７】
前記複数のＬＥＤを駆動し、側壁と熱伝導するように配置された電源を
さらに備える請求項６に記載の照明システム。
【請求項８】
前記中心チャネル内に配置され、側壁と熱伝導するサーマルフィンを
さらに備える請求項６に記載の照明システム。
【請求項９】
前記複数のＬＥＤに隣接して配置されるレンズを
さらに備える請求項６に記載の照明システム。
【請求項１０】
前記中心チャネルの中間地点付近に配置され、前記中心チャネルを第１の部分と第２の部分とに分割する分割素子と、
冷却空気を前記中心チャネルに進入させ、前記中心チャネルから出て行くことを可能にする、前記側壁での複数の開口と、
をさらに備え、
前記ファンが、前記第１の部分を通るように冷却空気を引き込むように配置され、第２のファンが、前記第２の部分を通るように冷却空気を引き込むように配置される、請求項６から９のいずれか一項に記載の照明システム。
【請求項１１】
前記複数のＬＥＤに隣接して側壁から延びて、前記透明ＬＣＤに対して鋭角で配置されたフランジを
さらに備える請求項６から９のいずれか一項に記載の照明システム。
【請求項１２】
前記複数のＬＥＤが、複数の垂直方向の列として配置され、ローバが、各垂直方向の列の間に配置される、請求項６に記載の照明システム。
【請求項１３】
前記複数のＬＥＤがさらに、複数の水平方向の列として配置され、ローバがまた、各水平方向の列の間に配置される、請求項１２に記載の照明システム。
【請求項１４】
前記レンズが、複数の平行素子を含み、各平行素子が、ＬＥＤよりも上でＬＥＤの中心に配置される、請求項９に記載の照明システム。
【請求項１５】
ドアに配置される透明ＬＣＤであって前記ドアの一組の対向する垂直縁部に沿って配置されたＬＥＤと最大温度を下回るように前記ＬＥＤを冷却するように配置されたファンと前記ドアの開放又は閉鎖を判断するように配置されたスイッチとを有する前記透明ＬＣＤのバックライトを制御する方法であって、
前記ドアが開放又は閉鎖されたかどうかを判断すること、
前記ドアが開放された場合、前記ＬＥＤ及びファンへの電力を止めること、
前記ドアが閉鎖された場合、前記ＬＥＤの温度が前記最大温度を上回るかどうかを判断すること、および
前記ＬＥＤの前記温度が前記最大温度を超えた場合に前記ＬＥＤ及び前記ファンに電力を送信し、又は前記ＬＥＤの前記温度が前記最大温度を下回った場合に前記ＬＥＤに電力を送信して前記ファンへの電力を止めること、
を含む方法。
【発明の詳細な説明】
【技術分野】
【０００１】
実施形態は、一般に、ディスプレイケース内のディスプレイガラスに隣接して配置された透明液晶ディスプレイ（ＬＣＤ）に関する。実施形態は、同様にＬＣＤを背面から照らすためのシステム及び方法を含む。
【背景技術】
【０００２】
ディスプレイケースは、販売に利用できる製品を説明するために、多くの多様な小売り商店で利用されている。いくつかの実例では、このようなディスプレイケースは、食料品店、コンビニエンスストア、ガスステーション、レストラン、又は他の小売り商店に置かれている冷却器又は冷凍器である。他の実例では、このようなディスプレイケースは、宝石店、時計店、パン屋、デリカテッセン、アンティークショップ、スポーツ用品店、電子製品店、又は他の小売り商店で使用される冷却されない透明コンテナである。製品自体の設計及び外観が、何らかの販売時（ＰＯＳ）広告を提供する一方で、ＰＯＳにおける追加の広告は、製品の認知を高め、これによりさらなる売り上げを生むことが分かっている。
【発明の概要】
【発明が解決しようとする課題】
【０００３】
大抵の小売り商店は既に、何らかのＰＯＳ広告を取り込んでおり、商店のタイプによっては、所有者が、小売りエリアにおける「散らかっているもの」の量を制限したがり、これにより、追加のＰＯＳ広告のための空間が極めて制限されることになる。追加のＰＯＳ広告を備えたディスプレイケース内に典型的に配置される透明ガラスを利用することが望ましい。最も顕著には、透明ＬＣＤが、透明ガラスと共に配置され、追加の広告素材をディスプレイすることができる一方で、さらに利用者がディスプレイケースの内の製品を見ることを可能にすることが考える。
【課題を解決するための手段】
【０００４】
１つの例示の実施形態は、ディスプレイケースのドア内の透明ＬＣＤを提供する。複数のＬＥＤをドア組立体の中又はその付近に配置することで、ディスプレイケースの内部の追加の照明を提供することができ、これは、ディスプレイケース内の製品で反射及び拡散し、透明ＬＣＤのためのバックライトを効果的に形成することができる。このドア組立体は、特定のセンサを含むことで、電子制御ユニットが、ドアの開放又は閉鎖を検知することができる。閉鎖されたとき、ＬＥＤが点灯される。開放されたとき、ＬＥＤは好ましくは消灯されるが、単に電力を軽減してもよい。いくつかの実施形態において、ＬＥＤは、ドアが開放したときでも、そのままの場合もある。別の例示の実施形態は、ディスプレイケースの前部ガラス組立体内の透明ＬＣＤを提供する。
【０００５】
一例のバックライト作用の実施形態は、それぞれが透明ＬＣＤの垂直縁部に隣接する複数の中方立光組立体を提供する。各中方立光組立体は、好ましくは、冷却空気が通過可能な中心チャネルを含んでいる。複数のＬＥＤを備えたＬＥＤ搭載基材が、中心チャネルの側壁の長さに沿って配置され、且つ、ディスプレイケースの後部に向かって内側に角度を成している。好ましくは、ＬＥＤは、伝導性であって中心チャネルの側壁と熱伝導する。１つの例示の実施形態では、サーマルフィンも、中心チャネルの側壁と熱伝導するように配置される。また、電気構成要素（ＬＥＤを駆動するための電力モジュールを含む）は、中方立内に配置されてよく、且つ中心チャネルの側壁と及び任意選択の構成であるサーマルフィンとに熱伝導するように配置されてよい。
【０００６】
一例の実施形態では、任意選択の構成であるレンズが、ＬＥＤに隣接して配置され、且つＬＥＤ及びレンズを出る光を平行にするように適合されている。別の実施形態において、各ＬＥＤは、一組の垂直方向のルーバーの間に配置され、これにより、ＬＣＤからの光をディスプレイケースの後部に向けて（又はディスプレイケース内の商品に向けて）誘導することができる。或いは、ＬＣＤからの光をディスプレイケースの後部に向けて（又はディスプレイケース内の商品に向けて）誘導するために、中心チャネルの側壁からフランジが延在し、且つディスプレイケースの後部に向かって角度を成してもよい。
【０００７】
本発明の上述の特徴及び利点並びに他の特徴及び利点は、添付の図面に例示されるように、以下の特定の実施形態のより詳細な記載から明らかになるであろう。
【０００８】
例示の実施形態の更なる理解は、以下の詳細な記載の説明及び添付の図面から達成される。なお、添付の図面では、同一の参照符号は、同一の部品を指している。
【図面の簡単な説明】
【０００９】
【図１】透明ＬＣＤの一例の実施形態を含むディスプレイケースの斜視図である。
【図２】図１に示されるディスプレイケースの内部を示す断面図である。
【図３】図１に示される実施形態からのドア組立体の後部立面図である。
【図４】透明ＬＣＤ用のＬＥＤ照明を制御する一実施形態を示す論理フローチャートである。
【図５Ａ】自動販売機で使用される透明ＬＣＤの一実施形態を示す図である。
【図５Ｂ】一般の小売り商店のカウンター内に組み立てられた透明ＬＣＤの一実施形態を示す図である。
【図５Ｃ】パン屋のディスプレイケースで使用される透明ＬＣＤの一実施形態を示す図である。
【図６】一例の前部ガラス組立体の側部立面図である。
【図７】前部ガラス組立体の別の実施形態の後部立面図である。
【図８】ディスプレイケース内で使用するための一組の透明ＬＣＤの斜視図である。
【図９】図１からのディスプレイケースの前部立面図であり、前部ガラス及びマスキングが除去されることで、ＬＣＤ及び照明組立体を作動させる電気構成要素を示す図である。
【図１０】中心中方立を見下ろす頂部斜視図であり、任意選択の空気の流れの実施形態を示す図である。
【図１１】ファンが除去された中心中方立の頂部斜視図である。
【図１２】中方立光組立体の詳細を示す中心中方立の頂部斜視図である。
【図１３】別の任意選択の空気の流れの実施形態を示す断面斜視図である。
【図１４】中方立光組立体のための別の実施形態の頂部斜視図である。
【図１５】任意選択の構成要素であるレンズとＬＥＤとの一例の実施形態を示す断面図である。
【図１６】図８に示されるＬＥＤ及びレンズの実施形態の光線の痕跡の図である。
【図１７】一組の対向する中方立の頂部平面図であって、生じる光パターンの適切な光線の痕跡を示す図である。
【図１８】透明ＬＣＤ照明システムを作動させる一実施形態の電気的な概略図である。
【図１９】図１１に示されるシステムを作動させるソフトウェア論理の一実施形態に関するフローチャートである。
【図２０】図１１に示されるシステムを作動させるソフトウェア論理の一実施形態に関するフローチャートである。
【図２１】別の任意選択の空気の流れの実施形態を示す断面斜視図である。
【図２２】図２１に指摘される詳細Ａを示す詳細な断面斜視図である。
【発明を実施するための形態】
【００１０】
（詳細な記載）
以下に、本発明の例示の実施形態が示されている添付の図面を参照して、本発明をより一層十分に記載する。しかしながら、本発明は、多くの異なる形態で具現化することができ、本明細書に記載される例示の実施形態に限定されるものとして解釈すべきではない。むしろこのような実施形態は、本開示が完璧かつ完全なものであるように提供されており、本発明の範囲を十分に当業者に伝えるものである。なお、図面では、層のサイズ及び相対的サイズ、並びに領域のサイズ及び相対的サイズは、明確にするために誇張される場合もある。
【００１１】
本明細書で使用される専門用語は、特定の実施形態を記載する目的に限って使用されており、本発明を制限することを意図するものではない。本明細書で使用されるように、単数形態は、文脈がそうでないことを明確に指摘していなければ、複数形態も同様に含むことが意図されている。用語「備える」及び／又は「備えている」は、本明細書で使用される際、提示される特徴、整数、ステップ、作用、要素及び／又は構成要素の存在を特定するが、１つ又は複数の他の特徴、整数、ステップ、作用、要素、構成要素及び／又はそれらの集合体の存在若しくは追加を除外するものではないことがさらに理解されるであろう。
【００１２】
本発明の実施形態が、本発明の理想化された実施形態（及び中間構造）の概略図である図面を参照して本明細書に記載される。したがって、例えば製造技術及び／又は公差の結果として、これらの図面の形状からの変化は、予測されている。よって、本発明の実施形態は、本明細書に示される領域の特定の形状に限定されるものと解釈すべきではなく、且つ例えば製造作業からの結果物の形状に関する逸脱も含むべきものである。
【００１３】
そうでないことが定義されていない限り、本明細書で使用される全ての用語（技術的用語及び科学的用語を含む）は、本発明が属する分野の当業者によって一般に理解されるものと同一の意味を有する。このような用語、例えば一般に使用される辞書で定義されるものなどは、関連する分野の文脈における意味と一致する意味を有するものとして解釈すべきであり、特に本明細書でそのように定義されるのでなければ、理想化された意味又は過度な正規の意味において解釈されないことがさらに理解されるであろう。
【００１４】
図１は、一例の実施形態の透明ＬＣＤ９０及び９１の一例の実施形態を含むディスプレイケース１０１の斜視図である。ディスプレイケース１０１は、典型的には、販売提供される複数の製品５７を収容する。図示されるように、透明ＬＣＤ９０が、広告用の図案を表示しているのに対して、ＬＣＤ９１は、見通しがきく状態であり、従来のディスプレイケースと同様の眺めを示している。ドア組立体６０の前部は、２つの部分で記述することができる。第１の部分は、ＬＣＤ９０を収容する透明な部分５５である。第２の部分は、ＬＣＤ及びバックライトを稼働させる種々の電気構成要素を空間に入れることができるマスク部分５０である。断面線２−２は、垂直線として示されており、これはディスプレイケース１０１を水平方向に垂直線が貫通するように切断する。
【００１５】
図２は、図１に示されるディスプレイケース１０１の内部を示す断面図である。ここでもまた、様々な製品５７が、ディスプレイケース１０１の内部に示されている。透明ＬＣＤ９１は、好ましくは、２つのガラス、すなわち前部ガラス１９５と任意選択の後部ガラス１９２との間に挟まれる。当分野で知られるように、透明ＬＣＤは、典型的には、従来のＬＣＤのコア要素（前部／後部偏光子、電気制御層／ＴＦＴアレイ及びカラーガラス）を含んでおり、従来のバックライトが欠けていることに注目すべきである。このようなＬＣＤは、典型的には「ノーマリーホワイト」であるため、ゼロボルトが印加される際、セルは、実質的に透明であり、電圧が増大するにつれてセルは暗くなる。
【００１６】
センサ８００は、好ましくは、センサ８００がドア組立体６０が開放されたかどうかを感知することができるように配置される。センサ８００は、ドア組立体６０の後部に、又はドアの縦枠１７６に、装着されてよい。センサ８００は、プッシュボタン、常開スイッチ、常閉スイッチ、又は電気回路を切断することができる任意の電気的な構成要素のうちのいずれか１つであってよい。センサ８００の作動は、以下により一層十分に記載される。
【００１７】
当分野で知られるように、ＬＣＤは、光フィルタとして作用するため、特定の画像を形成するためにそのデバイスを通過する光を必要とする。ここで、ＬＣＤ９１を通過する輝度を高めるために、複数のＬＥＤ１２６がドア組立体６０の頂部に沿って配置されるとともに、配置された別の複数のＬＥＤ１２４がドア組立体６０の底部に沿って配置されている。ＬＥＤ１２４セット及びＬＥＤ１２６セットの両方が必要とされないとはいえ、頂部のＬＥＤ２６及び底部のＬＥＤ１２４の両方を利用することで、光の輝度及び均一性が最大になることが分かった。ＬＥＤ１２４及び１２６は、ＬＣＤ９１に隣接して、前部ガラス１９５と任意選択の後部ガラス１９２との間に配置されてよい。さらに、ＬＥＤ１２４及び１２６は、ドア組立体６０のマスク部分５０の背後に配置されることで、利用者は、ＬＥＤを見ることができない。
【００１８】
任意選択の光拡散素子が、ＬＥＤ１２４及び１２６と製品５７との間に配置されてよい。しかしながら、図示されるように、ＬＥＤ１２４及び１２６からの光は、ディスプレイケース１０１の内部の種々の面から反射し散乱することが可能である。最も顕著なのは、ＬＥＤ１２４及び１２６からの光が、製品５７から反射／散乱する場合があり、製品５７の可視性を高め、同様にＬＣＤ９１を通過して放出される光の均一性も高める。ＬＥＤ１２４及び１２６からの光はまた、ディスプレイケースの内側の面から反射／散乱する場合もある。ＬＥＤ１２４及び１２６は、放出される光の主要な方向が、ディスプレイケース１０１の内部空洞に向かうように概ね配置される。
【００１９】
図３は、図１に示される実施形態からのドア組立体の後部立面図である。マスク部分５０は、ＬＣＤ９１を囲むように示されている。いくつかの電気構成要素が、マスク部分５０の背後に配置されてよい。第１の電源３２５は、ＬＥＤ１２４と電気的に接続することができ、これは好ましくは、ドア組立体６０の底縁部に沿って配置され、且つＬＣＤ９１の下に配置される。第２の電源３２６は、ＬＥＤ１２６と電気的に接続することができ、これは好ましくは、ドア組立体６０の頂縁部に沿って配置され、且つＬＣＤ９１より上に配置される。他の実施形態において、ＬＥＤは、ドア組立体６０の水平縁部（すなわち頂部及び底部）ではなく、垂直縁部（すなわち、左右）に沿って配置される場合もある。さらに別の実施形態において、ＬＥＤは、ドア組立体の全ての縁部（すなわち、頂部、底部、左右）に沿って配置される場合もある。
【００２０】
いくつかの実施形態において、単一の電源が、ＬＥＤ１２４及び１２６の両セットと電気的に接続されるように配置される場合もある。２つの電源３２５及び３２６が使用される場合、それらは好ましくは各電源が、電子プロセッサユニット３０２と電気的に接続され、電子プロセッサユニット３０２を使用して、各ＬＥＤセットに送信すべき電力量を指示することができる。２つの電源が使用されない場合でも、単独の電源は、好ましくは、電子プロセッサユニット３０２と電気的に接続することができる。加えて、センサ８００は、好ましくは、電子プロセッサユニット３０２と電気的に接続される。電子プロセッサユニット３０２は、ＥＰＲＯＭ、ＥＥＰＲＯＭ、マイクロプロセッサ、ＲＡＭ、ＣＰＵ、及び任意の形態のソフトウェアドライバのうちの１つを備えることができ、ここで、そのソフトウェアドライバは、センサ８００からの電気信号を読み取り、ＬＥＤに送信される電力を制御することが可能である。ＬＣＤ９１用のタイミングコントロールボード（ＴＣＯＮ）は、電子プロセッサユニット３０２内に収容される場合もあり、よってこれは好ましくはＬＣＤ９１と電気的に接続される。
【００２１】
電力入力３５１もまた、電子プロセッサユニット３０２に電気的に接続されてよい。その後、電力入力３５１からの電力は、電源３２５及び３２６に送られ、又は、その電力は、電子プロセッサユニット３０２を通過せずに電力入力３５１から直接に電源３２５及び３２６に分配されてもよい。また、ビデオ信号入力３７５も、電子プロセッサユニット３０２に電気的に接続されてもよい。一例の実施形態では、ビデオ信号入力３７５は、カテゴリ５ケーブルを備えている。他の実施形態において、ビデオ信号入力は、その代わりに無線レシーバを備える場合もある。
【００２２】
図４は、透明ＬＣＤ９１のためのＬＥＤ照明を制御するための一実施形態を示す論理フローチャートである。いくつかの実施形態において、この論理は、電子プロセッサユニット３０２用のソフトウェアの少なくとも一部を提供する場合がある。ソフトウェアが始動されると、システムは、好ましくは、センサ８００からのデータを読み取り、ドアが開放又は閉鎖されたかどうかを判断する。ドアが閉鎖された場合、ＬＥＤは、好ましくは、点灯され、ＬＣＤを通過する輝度を増大させ、それと同様に製品の外観も向上させる。ドアが開放された場合、ＬＥＤは、好ましくは消灯されることで、利用者は、ＬＥＤの明るい照明を被ることがなくなる。もちろん、ディスプレイケースの内部には依然として照明が存在するが、これは時として従来の蛍光灯によって提供される。ドアが現に開放されているか、或いは閉鎖されているかにかかわらず、システムは、センサ８００からのデータを再度読み取るように戻って、そのドアの状態が、最後にチェックしてから変化したかどうかを判断すべきである。このような「ループ」は、好ましくは、ほとんど常に稼働しており、その結果、ドアの状態の変化は、ほとんど瞬時に明らかにすることができる。
【００２３】
図５Ａは、自動販売機４０１で使用される透明ＬＣＤ４５０の一実施形態の図である。図５Ｂは、一般の小売り商店でのカウンター５０１内に組み立てられた透明ＬＣＤ４５０の一実施形態の図である。図５Ｃは、パン屋でのディスプレイケース６００で使用される透明ＬＣＤ４５０の一実施形態を示す図である。上記に記載される実施形態と対照的に、これらの実施形態は、ドア又はドア組立体を含まないが、その代わりに前部ガラス組立体８１０を含んでいる。
【００２４】
図６は、一例の前部ガラス組立体８１０の側部立面図である。この実施形態において、ＬＣＤ４５０は、前部ガラス４５５の背後に配置され、ＬＥＤ４７５／４７６は、前部ガラス組立体８１０の垂直縁部に沿って配置される。好ましくは、ＬＥＤ４７５／４７６は、マスク部分５０の背後に配置される。
【００２５】
図７は、一例の前部ガラス組立体８１０の後部立面図である。この実施形態において、複数のＬＥＤ４７５からなる第１のセットは、前部ガラス組立体８１０の左側の垂直縁部に沿って配置され、複数のＬＥＤ４７６からなる第２のセットは、前部ガラス組立体８１０の右側の垂直縁部に沿って配置される。単一の電源４８０が、ＬＥＤ４７５及び４７６の両セットと電気的に接続される。電子プロセッサユニット７１５もまた、好ましくは、電源４８０及びＬＣＤ４５０と電気的に接続される。
【００２６】
また、電力入力３５１も、電子プロセッサユニット７１５と電気的に接続されてよい。その後、電力入力３５１からの電力は、電源４８０に送られ、又は、その電力は、電子プロセッサユニット７１５を通過せずに電力入力３５１から直接に電源４８０に分配されてもよい。また、ビデオ信号入力３７５も、電子プロセッサユニット７１５と電気的に接続されてよい。一例の実施形態では、ビデオ信号入力３７５は、カテゴリ５ケーブルを備えている。他の実施形態において、ビデオ信号入力は、その代わりに無線レシーバを備える場合もある。
【００２７】
図８は、ディスプレイケースで使用するための一組の透明ＬＣＤの斜視図である。保護ガラス１７０は、好ましくは、ＬＣＤの前方に配置され、且つ保護ガラス１７０の周囲の少なくとも一部を囲むマスク部分１７５を含んでいる。ケースの残りの詳細は、一般的に知られており、透明ＬＣＤ及び例示の照明システムに左右されないため、前部ガラス／ＬＣＤ組立体のみが図面に示されていることに留意されたい。本明細書に記載される照明システムの実施形態は、開放するドア又は固定されたままのガラスを備えたディスプレイケースであって、温度制御される場合又は温度制御されない場合も含む任意の数多くのディスプレイケースの設計に使用することができる。
【００２８】
図９は、図１からの前部ガラス／ＬＣＤ組立体の前部立面図であり、前部ガラス１７０及びマスキング１７５が除去されることで、ＬＣＤ１９０及び照明組立体を作動させるための電気構成要素１８０を示している。電気構成要素１８０は、タイミングコントロールボード（ＴＣＯＮ）、ビデオプレーヤ、ハードドライブ／記憶装置、マイクロプロセッサ／ＣＰＵ、無線レシーバ、セルラー式データレシーバ及びインターネット接続のうちのいずれか又は全てを含む場合がある。電気構成要素１８０の少なくとも一部は、ＬＣＤ１９０と電気的に接続される。好ましくは、電力（ＬＥＤ及び／又は電気構成要素１８０のための）及びビデオ信号は、カテゴリ６ケーブルを介して電気構成要素１８０に供給される。
【００２９】
透明ＬＣＤ１９０は、第１の側部に隣接する縁部中方立１２０と、第１の側部と対向する側部に隣接する中心中方立１２５とを備える。同様に、透明ＬＣＤ１９１は、透明ＬＣＤ１９１の第１の側部に隣接する中心中方立１２５と、この第１の側部と対向する側部に隣接する縁部中方立１３０と、を備える。複数のファン１００が、各中方立１２０、１２５及び１３０に隣接して配置され、その中方立を通過するよう冷却空気を引き込むように適合される。複数のファン１００が各中方立の頂部に示されているが、ファン１００は、中方立の底部又は中方立の範囲内に配置されてもよい。なお、１つ又は複数のファンを各中方立に使用する場合もある。
【００３０】
図１０は、中心中方立１２５を見下ろす頂部斜視図であり、任意選択の空気の流れの実施形態を示している。中心中方立１２５は、前部ガラス／ＬＣＤ組立体の縁部に概ね隣接するベース中方立組立体２００で構成されている。中方立光組立体３００が、好ましくは、ベース中方立組立体２００に装着される。いくつかの実施形態において、ベース中方立組立体２００は、従来のディスプレイケースに見られる一般的な中方立組立体であるため、中方立光組立体３００は、既に組み立てられ、場合によっては設置されているケース内に見られる既存のベース中方立に、容易に適合させることができる。
【００３１】
この実施形態において、ファン１００は、中方立光組立体３００の頂部及び底部に配置され、これにより、中方立光組立体３００の中心に下方に続く中心チャネル３１０を通るように冷却空気の経路を引き込むことができる。複数のファン１００は、中方立光組立体３００の頂部から底部に、又は底部から頂部に、冷却空気を引き込むことができる。複数のローバ２５０が、中方立光組立体３００の両側部に沿って配置され、中方立光組立体３００から放出される光を制御するように適合される。
【００３２】
図１１は、ファン１００が除去された中心中方立１２５の頂部斜視図である。中心中方立１２５用の中方立光組立体３００は、概して、台形断面を含み、ここで、ベース部分は、中心チャネル３１０に面する側に複数のサーマルフィン３５０を含み、且つ中心チャネル３１０の対向する側に電気構成要素３７０用の仕切り台３６０を含んでいる。このような配置が好ましいが、電気構成要素を中心チャネル３１０内に配置し、サーマルフィン３５０を対向する側部上（又はサーマルフィン３５０を全く使用しないで）に配置することも企図されている。
【００３３】
台形の中方立光組立体３００の脚部は、好ましくは、ベース部分に対して角度を成しており、ＬＥＤ組立体３３０Ａ及び３３０Ｂを収容する。この中方立光組立体３００は、中心中方立１２５のためのものであるため、ＬＥＤ組立体３３０Ａ（透明ＬＣＤ１９１のための）及び反対のＬＥＤ組立体３３０Ｂ（透明ＬＣＤ１９０のための）を収容する。縁部中方立１２０及び１３０に関して、１つのＬＥＤ組立体のみが必須であるため、中方立光組立体は、必ずしも本明細書に示される台形断面又は２つのＬＥＤ組立体を有する訳ではないが、それでもなお２つが使用される場合もある。好ましくは、ＬＥＤ組立体３３０Ａ及び３３０Ｂは、中心チャネル３１０に向かって内側に角度を成す。台形断面によって示され記載されるが、三角形の断面も具体的に企図されており、これも同様に本発明の範囲内にある。
【００３４】
ＬＥＤ組立体３３０Ａ及び３３０Ｂは、好ましくは、伝導性であって中心チャネル３１０の両側壁と熱伝導する。一例の実施形態において、ＬＥＤ組立体３３０Ａ及び３３０Ｂはまた、伝導性であってサーマルフィン３５０と熱伝導する。ローバ２５０は、好ましくは、ＬＥＤ組立体３３０Ａ及び３３０Ｂに隣接して配置される。電気構成要素３７０は、好ましくは、伝導性であって中心チャネル３１０の両側壁と熱伝導する。一例の実施形態において、電気構成要素３７０もまた、伝導性であってサーマルフィン３５０と熱伝導する。電気構成要素３７０は、ＬＥＤ組立体３３０Ａ及び３３０Ｂを駆動するための電源を含むことができる。また、電気構成要素３７０は、透明ＬＣＤ及び電気構成要素１８０を駆動するための電源を含む場合もある。
【００３５】
図１２は、中方立光組立体３００の詳細を示す中心中方立の頂部斜視図である。ＬＥＤ設置基板３３７は、複数のＬＥＤ３３６を収容し、中心チャネル３１０の側壁に隣接して配置される。いくつかの実施形態において、ＬＥＤ設置基板３３７は、ＰＣＢであり、一例の実施形態では、ＬＥＤ設置基板は、メタルコアＰＣＢである。ここでは、任意選択のレンズ３４０が、ＬＥＤ設置基板３３７の前方に配置される。この実施形態において、任意選択のレンズ３４０は、複数の平行素子３３５を含んでおり、この場合、各平行素子３３５は、１つのＬＥＤ３３６の上でその中心に置かれる。
【００３６】
この実施形態において、ローバ２５０は、任意選択のレンズ３４０に隣接して配置されるが、一部の実施形態は、レンズ３４０及び平行素子３３５が適切に設計される場合、ローバ２５０を必要としない場合があるため、ローバ２５０は、任意選択であることに留意されたい。しかしながら、この実施形態において、ローバ２５０は、垂直ローバ２２５と、垂直ローバ２２５にほぼ直交する水平ローバ２２６とで構成される。いくつかの実施形態において、垂直ローバ２２５のみが使用される場合もある。ここでは、垂直ローバ２２５は、ＬＥＤ３３６及び平行素子３３５の側部に配置され、ＬＣＤから放出された光をディスプレイケースの後部又はディスプレイケース内の商品に向かわせる。換言すると、各ＬＥＤ３３６／各平行素子３３６は、好ましくは、一組の垂直ローバ２２５の間に配置され、この垂直ローバが、放出された光の大部分がＬＣＤを直接通過する（「ヘッドライティング」として知られる現象であり、以下でさらに考察する）のを阻止する。なお、垂直ローバ２２５は、水平面内の光の方向を制御するように適合されている。水平ローバ２２６は、垂直面内の光の方向を制御することができる。
【００３７】
また、この実施形態では、中方立光組立体３００はタブ３０１を含み、タブ３０１は、ベース中方立２００上の対向するタブに重なっている。ここでは、中方立光組立体３００は、ベース中方立２００に単にカチッと嵌ることができる。もちろん、中方立光組立体３００をベース中方立２００に装着するための多くの他の変形形態があり、これらには、これに限定するものではないが締め具、クリップ、接着剤又は溶接作業が含まれる。
【００３８】
中方立光組立体３００のベースから延在する一連の部材として示されているが、これらの部材は、チャネル３１０の中心付近で最も長く、その中心から光組立体３３０Ａ及び３３０Ｂに向かって離れるにつれて短くなるが、サーマルフィン３５０に関してこのような配置は必須ではない。このような設計は、一例の冷却性能を提供するが、サーマルフィン３５０に要求されることは、サーマルフィン３５０から熱を抽出するために冷却空気のための表面積を増大させることである。好ましくは、サーマルフィン３５０は、熱伝導材料で構成される。一例の実施形態において、サーマルフィン３５０は、金属製、好ましくはアルミニウム製である。
【００３９】
図１３は、別の任意選択の空気の流れの実施形態を示す断面斜視図である。この実施形態において、分割素子４００が、中心チャネル３１０の中間地点付近に配置され、中心チャネルは、開口４１０を備えた第１の部分と、開口４２０を備えた第２の部分とに分割される。ファン１００が、各部分の出口に配置される。ファン１００が作動する際、冷却空気が、開口４１０／４２０を通って中心チャネル３１０内に引き込まれ、中心チャネル３１０を通るように引き寄せられ、ファン１００の付近の出口で排出される。もちろん、反対の流れも可能であり、この場合に冷却空気は、ファン１００においてチャネル３１０内に引き込まれ、開口４１０／４２０から外に排出される。この例示の実施形態において、ファン１００の付近よりも多くの数の開口が、分割素子４００の付近に配置される。開口４１０／４２０は、好ましくは、中心チャネル３１０の側壁の頂部付近に配置される。
【００４０】
図１４は、中方立光組立体５００の別の実施形態の頂部斜視図である。この実施形態において、チャネル３１０は、サーマルフィン３５０を有するベース部分と、チャネル３１０の中心に向かって内側に角度を成す側部とを含む。側部は、複数のＬＥＤ３３６を備えたＬＥＤ設置基板３３７を含む。この実施形態はまた、任意選択のレンズ３４０を含んでおり、この場合に平行素子３３５が、各ＬＥＤ３３６に隣接して配置される。特に、この実施形態では、フランジ５２５は、中方立光組立体５００のベース部分から、すなわちＬＥＤ設置基板３３７の底部に隣接する領域から延びている。フランジ５２５がベース部分から離れるように延びているので、フランジ５２５は、ＬＥＤ３３６に向かって角度を成している。換言すると、フランジ５２５は、透明ＬＣＤに対して鋭角で配置される。
【００４１】
図１５は、任意選択のレンズ３４０及びＬＥＤ３３６の一例の実施形態を示す断面図である。各平行素子３３５は、好ましくは、各ＬＥＤ３３６の中心線上に配置される。各平行素子３３５は、好ましくは、各ＬＥＤ３３６に隣接するノッチを含む。ノッチは、ＬＥＤ３３６の中心軸にほぼ直交する頂部面３４７と、頂部面３４７にほぼ直交する少なくとも２つの側面３４９とで規定されてもよい。任意選択のレンズ３４０のいくつかの実施形態は、４つの側面３４９を含む場合がある（この図面は断面図であるため、追加の側面は示されていない）。
【００４２】
また、レンズに関するこの実施形態は、一組の角度付きの反射面３４２を含んでおり、これらの面３４２は、ＬＥＤ設置基板付近から始まり、ＬＥＤ３３６の中心軸から離れるように角度を成している。加えて、レンズのこの実施形態は、ＬＥＤ３３６よりも上に配置された弧３４５であって、ＬＥＤの中心軸の周りに、好ましくは中心に配置された弧３４５を含む。一例の実施形態において、角度付き反射面３４２は、好ましくは、全反射（ＴＩＲ）によって作用する。また、一例の実施形態において、面３４７、３４９及び３４５は、好ましくは、反射防止（ＡＲ）コーティングによって被覆される。
【００４３】
図１６は、図８に示されるＬＥＤ及びレンズの実施形態の光線の痕跡である。理想的には、ノッチの側面３４９に進入する光の大半は、面３４２で反射し、レンズの頂部面から出て行く。また理想的には、ノッチの頂部面３４７に進入する光は、弧３４５から出て行く。
【００４４】
図１７は、一組の対向する中方立の頂部平面図であり、上記に記載する実施形態から生じる光のパターンの適切な光線の痕跡を示している。ここでは、（１）レンズ３４０のみ、（２）垂直ローバ２２５のみ、（３）フランジ５２５のみ、（４）垂直ローバ２２５とレンズ３４０、又は（５）フランジ５２５とレンズ３４０が、放出された光をケースの後部に向かって誘導する（ＬＣＤ／前部ガラス組立体８１０から離れるように）。光線７００は、放出された光の大半で生じている方向を表している。光線７５０は、放出された光が「ヘッドライティング」を生じることなく配置することができるＬＣＤに対する最大角度（θ１）を表している。ここでは、光線８１５は、ヘッドライティングとして知られるものを示しており、この場合、光線は、中方立光組立体を出て、ＬＣＤ／前部ガラス８１０を直接に通過し、ディスプレイケースの内部又はディスプレイケース内の商品から反射することはない。ヘッドライティングが生じる場合、ＬＣＤの前を通る観察者は、ＬＥＤからの光の明るい点源を目にする可能性がある。これは大半の観察者の注意をそらし、それが極めて明るい場合、不快になる可能性もある。ここでは、光線８１５がＬＣＤにぶつかる角度（θ２）は、最大角度（θ１）より大きいため、ヘッドライティングが生じる。このような現象（同様に光線８１５）は、上記に記載する実施形態の一部によって実質的になくすことができるが、全てのヘッドライティングをなくすことは本発明のいずれの実施形態の要件ではないことに留意されたい。
【００４５】
この特定の実施形態において、前部ガラス／ＬＣＤ組立体８１０は、消費者がケース内にアクセスすることができるように開放／閉鎖することができるドアの一部を形成する。ドアセンサ８００が、ドアが開放又は閉鎖されたかどうかを示す電気信号を生成することができるように配置される。
【００４６】
図１８は、透明ＬＣＤ照明システムを作動するための一実施形態の電気的な概略図である。マイクロプロセッサ／ＣＰＵは、ドアセンサ及び任意選択の温度センサと電気的に接続される。マイクロプロセッサ／ＣＰＵは、ＥＰＲＯＭ、ＥＥＰＲＯＭ、マイクロプロセッサ、ＲＡＭ、ＣＰＵ、及び任意の形態のソフトウェアドライバのうちのいずれか１つを備えることができ、ここで、そのソフトウェアドライバは、ドアセンサ及び任意選択の温度センサからの電気信号を読み取り、ＬＥＤ及びファンに送信される電力を制御することが可能である。温度センサが、好ましくは、中方立光組立体の中のどこかに配置されることで、中心チャネル３１０内の温度、ＬＥＤ３３６での温度、或いは電気構成要素３７０での温度を判定することができる。また、マイクロプロセッサ／ＣＰＵは、好ましくは、ファン電源及びＬＥＤ電源と電気的に接続される。
【００４７】
図１９は、図１１に示されるシステムを作動するためのソフトウェア論理の一実施形態に関するフローチャートである。中方立光組立体の明るい光が、ディスプレイケースを開放する消費者の視野に影響するのを阻止するために、ドアが開放される際、ＬＥＤを消灯することが望ましい。また、騒音を抑えるために、ドアが開放されたとき、同様にファンを消灯することが望ましい。この方法に関して、ソフトウェアは、ドアが開放されたかどうかを判断するためにドアセンサを継続的にチェックする。ドアが開放されない場合、電力がＬＥＤ及びファンに送信される。ドアがいったん開放されると、電力は、ＬＥＤ又はファンに送信されない。ソフトウェアは、その後、ドアセンサをチェックするように戻り、ドアが閉鎖されたときに判断することができる。
【００４８】
図２０は、図１１に示されるシステムを作動するためのソフトウェア論理の一実施形態に関するフローチャートである。この実施形態は、中方立光組立体に関する最大温度（Ｔｍａｘ）を考慮するために、図１２に示される方法からの拡張を行う。ここでもまた、ドアセンサが、ドアが開放されたと判断したとき、電力は、ＬＥＤ又はファンに送信されない。ドアセンサが、ドアが閉鎖されたと判断したとき、ソフトウェアは、温度センサをチェックするように進展し、温度測定値をＴｍａｘに対して比較する。温度がＴｍａｘを下回る場合、このとき電力は、ＬＥＤに送信されるが、ファンには送信されない。温度がＴｍａｘを上回る場合、このとき電力は、ＬＥＤ及びファンに送信される。
【００４９】
図２１は、別の任意選択の空気の流れの実施形態を示す断面斜視図である。この実施形態において、分割素子４００は、中心チャネル３１０の中間地点付近に配置され、中心チャネルは、開口４１０を備える第１の部分と、開口４２０を備える第２の部分とに分割される。ファン１００は、各部分の出口に配置される。ファン１００が作動する際、冷却空気が、開口４１０／４２０を通って中心チャネル３１０内に引き込まれ、中心チャネル３１０を通るように引き寄せられ、ファン１００の付近の出口で排出される。もちろん、反対の流れもまた可能であり、この場合に冷却空気は、ファン１００においてチャネル３１０内に引き込まれ、開口４１０／４２０から外に排出される。この例示の実施形態において、ファン１００の付近よりも多くの数の開口が、分割素子４００の付近に配置される。開口４１０／４２０は、好ましくは、中心チャネル３１０の側壁の頂部付近に配置される。
【００５０】
特に、この実施形態では、追加の開口が、電気構成要素３７０に隣接する（及び電気構成要素３７０に固定されてもよい）チャネル３１０の側壁に配置されることで、冷却空気の追加の流れを電気構成要素３７０の冷却に使用することができる。
【００５１】
図２２は、図２１に指摘されるＤｅｔａｉｌ（詳細）Ａを示す詳細な断面斜視図である。図示されるように、開口８８０が、チャネル３１０の側壁に配置されることで、冷却空気が電気構成要素３７０に沿って流れることを可能にする。典型的には、電気構成要素３７０は、プリント回路基板（ＰＣＢ）８８１を含んでおり、示される実施形態は、冷却空気がＰＣＢ８８１の両側で（すなわち、中心チャネル３１０に面する側と、チャネル３１０の反対側で）流れることを可能にする。仕切り台３６０は、ここでも使用されて、チャネル３１０の側壁にＰＣＢ８８１を装着し、好ましくは、伝導性であってＰＣＢ８８１とチャネル３１０の側壁との間の熱伝導を確立することができる。
【００５２】
本発明の好ましい一実施形態が示され記載されてきたが、当業者は、記載される発明を表す多くの変形形態及び修正形態を形成できること、及びこれらもやはり特許請求の範囲内にあることを認識するであろう。加えて、上記に指摘される構成要素の多くは、特許請求の範囲に記載の発明の精神に反しない同一の結果をもたらすように異なる構成要素によって変更され又は置き換えられる場合もある。したがって特許請求の範囲によって指摘されるように本発明を限定することが意図されている。
【図１】
2015505374.tif 000003
【図２】
2015505374.tif 000004
【図３】
2015505374.tif 000005
【図４】
2015505374.tif 000006
【図５Ａ】
2015505374.tif 000007
【図５Ｂ】
2015505374.tif 000008
【図５Ｃ】
2015505374.tif 000009
【図６】
2015505374.tif 000010
【図７】
2015505374.tif 000011
【図８】
2015505374.tif 000012
【図９】
2015505374.tif 000013
【図１０】
2015505374.tif 000014
【図１１】
2015505374.tif 000015
【図１２】
2015505374.tif 000016
【図１３】
2015505374.tif 000017
【図１４】
2015505374.tif 000018
【図１５】
2015505374.tif 000019
【図１６】
2015505374.tif 000020
【図１７】
2015505374.tif 000021
【図１８】
2015505374.tif 000022
【図１９】
2015505374.tif 000023
【図２０】
2015505374.tif 000024
【図２１】
2015505374.tif 000025
【図２２】
2015505374.tif 000026
【国際調査報告】
2015505374.tif 000027